(57)【特許請求の範囲】
【請求項１】
装置本体のカセット装着部に対して着脱可能であり、シートを収容するシート収容部と、前記シート収容部にシート給送方向上流側の部分が回動可能に支持され、上面にシートが載置されるシート積載板と、前記シート積載板を昇降させるリフト機構と、前記シート収容部を形成する着脱方向に延在するカセット側面部の外面に配置される入力ギアと、前記カセット側面部の外面に配置され、前記入力ギアからの駆動力を前記リフト機構に伝達するアイドルギアと、を有するシート収納カセットと、
前記カセット装着部の前記カセット側面部と対向する本体側面部に設けられ、前記入力ギアに係合し、前記入力ギアおよび前記アイドルギアを介して前記リフト機構に駆動力を伝達する本体ギアと、
を備え、
前記カセット側面部には、前記シート収容部の外側に向かって突出するボスが形成されており、
前記入力ギアおよび前記アイドルギアの少なくとも１つは、前記ボスに回転可能に軸支されており、
前記本体側面部には、前記シート収納カセットを前記装置本体に装着した状態で、前記ボスの先端部を支持するとともに、前記ボスを介して、前記シート収納カセットを前記装置本体に対して所定位置に位置決めする支持部が設けられていることを特徴とするシート給送装置。
【請求項２】
前記カセット側面部との間で前記入力ギアおよび前記アイドルギアを挟み込むように、前記カセット側面部の外面に取り付けられるカバー部材を備え、
前記ボスは、前記カバー部材の貫通穴を貫通して前記支持部側に突出していることを特徴とする請求項１に記載のシート給送装置。
【請求項３】
前記支持部は、前記シート収納カセットを前記装置本体に装着した状態で、前記ボスの先端部を上方および下方から挟持するように形成されていることを特徴とする請求項１または２に記載のシート給送装置。
【請求項４】
前記リフト機構は、前記シート積載板を下側から持ち上げて回動させる押し上げ板と、前記入力ギアから駆動力が伝達され前記押し上げ板と共に回動する押し上げ用ギアと、前記押し上げ板および前記押し上げ用ギアが取り付けられる回動軸部と、を有することを特徴とする請求項１〜３のいずれか１項に記載のシート給送装置。
【請求項５】
請求項１〜４のいずれか１項に記載のシート給送装置を備えることを特徴とする画像形成装置。
【発明の詳細な説明】
【技術分野】
【０００１】
本発明は、シート給送装置およびそれを備えた画像形成装置に関し、特に、シート積載板を昇降させるリフト機構を有するシート収納カセットと、リフト機構に駆動力を伝達する本体ギアと、を含むシート給送装置およびそれを備えた画像形成装置に関する。
【背景技術】
【０００２】
給紙カセット（シート収納カセット）は、複写機やプリンターに代表される画像形成装置において、カットペーパー等の給紙用として用いられる。この給紙カセットは、印字前の用紙を予め多数枚ストックしておき、給紙カセットの近傍に設けられた給紙ローラーやピックアップローラー等により給紙カセット内に積み上げられた用紙束の最上層から１枚ずつ用紙を分離して供給する。
【０００３】
また、給紙カセットには、上面に用紙が載置されるシート積載板が備えられたものがある。シート積載板は、給紙カセットの底面内側に給紙方向上流端が支持され、この支点を中心とし、給紙方向下流側の端部を回動端として回動可能である。また、給紙カセットには、シート積載板の回動端を昇降させるリフト機構が設けられる。リフト機構には、画像形成装置本体に設けられた本体ギア、及び給紙カセットのカセット側面部に設けられた入力ギアなどを介して駆動力が伝達される。
【０００４】
なお、画像形成装置本体に設けられた本体ギアから給紙カセットのリフト機構に駆動力を伝達し、リフト機構を駆動することによりシート積載板を回動させる画像形成装置は、例えば特許文献１に開示されている。
【先行技術文献】
【特許文献】
【０００５】
【特許文献１】特開２００９−４０５１７号公報
【発明の概要】
【発明が解決しようとする課題】
【０００６】
ところで、画像形成装置本体に対して給紙カセットの出し入れをスムーズに行えるように、画像形成装置本体の本体レール部と給紙カセットとの間に多少の遊び（隙間）が設けられることがある。この場合、画像形成装置本体の本体ギアから給紙カセットの入力ギアに駆動力が伝達される際に、本体ギアから入力ギアにかかる力によって入力ギアの軸が変形して、入力ギアが本体ギアから遠ざかる方向に変位しやすくなる。このため、本体ギアと入力ギアとの係合が外れやすい（歯飛びしやすい）という問題点がある。
【０００７】
また、給紙カセットのカセット側面部にボスが一体で形成され、そのボスに入力ギアや入力ギアの後段に配置されるアイドルギアが回転可能に軸支される場合がある。この場合、画像形成装置本体の本体ギアから給紙カセットの入力ギアに駆動力が伝達される際に、入力ギアやアイドルギアにかかる力によってボスが折れてしまうという問題点がある。
【０００８】
本発明は、上記のような課題を解決するためになされたものであり、本発明の目的は、ギアの噛み合い不良が発生するのを抑制するとともに、ギアを軸支するボスが折れるのを抑制することが可能なシート給送装置およびそれを備えた画像形成装置を提供することである。
【課題を解決するための手段】
【０００９】
上記目的を達成するために、本発明の第１の局面に係るシート給送装置は、装置本体のカセット装着部に対して着脱可能であり、シートを収容するシート収容部と、シート収容部にシート給送方向上流側の部分が回動可能に支持され、上面にシートが載置されるシート積載板と、シート積載板を昇降させるリフト機構と、シート収容部を形成する着脱方向に延在するカセット側面部の外面に配置される入力ギアと、カセット側面部の外面に配置され、入力ギアからの駆動力をリフト機構に伝達するアイドルギアと、を有するシート収納カセットと、カセット装着部のカセット側面部と対向する本体側面部に設けられ、入力ギアに係合し、入力ギアおよびアイドルギアを介してリフト機構に駆動力を伝達する本体ギアと、を備える。カセット側面部には、シート収容部の外側に向かって突出するボスが形成されており、入力ギアおよびアイドルギアの少なくとも１つは、ボスに回転可能に軸支されており、本体側面部には、シート収納カセットを装置本体に装着した状態で、ボスの先端部を支持するとともに、ボスを介して、シート収納カセットを装置本体に対して所定位置に位置決めする支持部が設けられている。
【発明の効果】
【００１０】
本発明の第１の局面に係るシート給送装置によれば、入力ギアおよびアイドルギアの少なくとも１つは、カセット側面部に形成されたボスに回転可能に軸支されており、本体側面部には、シート収納カセットを装置本体に装着した状態で、ボスの先端部を支持する支持部が設けられている。これにより、本体ギアから入力ギアに駆動力が伝達される際に、入力ギアやアイドルギアにかかる力に起因してボスが変位するのを、支持部によって抑制することができる。このため、本体ギアと入力ギアとの係合や入力ギアとアイドルギアとの係合が外れる（歯飛びする）のを抑制することができる。
【００１１】
また、本体ギアから入力ギアに駆動力が伝達される際に入力ギアやアイドルギアにかかる力に起因してボスが変位するのを抑制することができるので、ボスが折れるのを抑制することができる。
【００１２】
また、支持部は、ボスを介して、シート収納カセットを装置本体に対して所定位置に位置決めするので、シート収納カセットの装置本体に対する位置決め精度を向上させることができる。
【００１３】
また、ボスを支持する支持部は装置本体に設けられているので、ボスを装置本体に対して位置決めすることができる。これにより、入力ギアおよびアイドルギアの装置本体に対する位置決め精度を向上させることができるので、本体ギアと入力ギアとの係合や入力ギアとアイドルギアとの係合が外れる（歯飛びする）のをより抑制することができる。
【図面の簡単な説明】
【００１４】
【図１】本発明の一実施形態の給紙装置を備えた画像形成装置の構造を示した断面図である。
【図２】本発明の一実施形態の給紙装置の給紙カセットの給紙方向下流側の部分の構造を示した斜視図である。
【図３】本発明の一実施形態の給紙装置の給紙カセットを給紙方向下流側から示した斜視図である。
【図４】本発明の一実施形態の給紙装置の給紙カセットの給紙方向下流側の部分および画像形成装置本体の位置決め部周辺の構造を示した斜視図である。
【図５】本発明の一実施形態の給紙装置の給紙カセットの入力ギア周辺の構造を示した側面図である。
【図６】本発明の一実施形態の給紙装置の給紙カセットの用紙積載板およびリフト機構の構造を示した斜視図であり、用紙積載板の自由端が最下位に位置している状態を示す図である。
【図７】本発明の一実施形態の給紙装置の給紙カセットの用紙積載板およびリフト機構の構造を示した斜視図であり、用紙積載板の自由端が押し上げ板によって持ち上げられた状態を示す図である。
【図８】本発明の一実施形態の給紙装置の給紙カセットの入力ギア周辺の構造を示した側面図であり、壁部にカバー部材を取り付けた状態を示した図である。
【図９】本発明の一実施形態の給紙装置の給紙カセットの入力ギアの構造を示した断面図である。
【図１０】本発明の一実施形態の給紙装置の給紙カセットのアイドルギアの構造を示した断面図である。
【図１１】本発明の一実施形態の給紙装置の給紙カセットのアイドルギア周辺の構造を示した平面断面図である。
【図１２】本発明の一実施形態の給紙装置の給紙カセットの入力ギア周辺の構造を示した斜視図である。
【図１３】本発明の一実施形態の給紙装置の本体ギア周辺の構造を示した斜視図である。
【発明を実施するための形態】
【００１５】
以下、本発明の実施形態について図面を参照して説明する。
【００１６】
図１〜図１３を参照して、本発明の一実施形態による給紙装置を備えた画像形成装置１００について説明する。なお、ここでは画像形成装置１００として、モノクロプリンターについて示している。画像形成装置１００本体内には図１に示すように、帯電、露光、現像及び転写の各工程によりモノクロ画像を形成する画像形成部Ｐが配設されている。
【００１７】
画像形成部Ｐには、感光体ドラム１の回転方向（図１の反時計回り方向）に沿って、帯電部２、露光ユニット３、現像装置４、転写ローラー７、クリーニング装置８、及び除電装置（図示せず）が配設されている。画像形成部Ｐでは、感光体ドラム１を図１において反時計回り方向に回転させながら、感光体ドラム１に対する画像形成プロセスが実行される。
【００１８】
トナー像が形成された画像形成部Ｐに向けて、給紙カセット（シート収納カセット）３０から用紙（シート）１８が用紙搬送路１１及びレジストローラー対１３を経由して所定のタイミングで搬送され、画像形成部Ｐにおいて転写ローラー７により感光体ドラム１表面のトナー像が用紙１８に転写される。そして、トナー像が転写された用紙１８は感光体ドラム１から分離され、定着部９に搬送されて加熱及び加圧されることで用紙１８にトナー像が定着される。
【００１９】
定着部９を通過した用紙１８は、複数方向に分岐した分岐部の分岐部材１６によって搬送方向が振り分けられる。用紙１８の片面のみに画像を形成する場合は、そのまま排出ローラー対１４によって排出トレイ１５に排出される。
【００２０】
一方、用紙１８の両面に画像を形成する場合は、定着部９を通過した用紙１８は一旦排出ローラー対１４の方向に搬送され、用紙１８の後端が分岐部材１６を通過した後に排出ローラー対１４を逆回転させるとともに分岐部材１６の搬送方向を切り換えることで、用紙１８の後端から反転搬送路１７に振り分けられ、画像面を反転させた状態でレジストローラー対１３に再搬送される。そして、感光体ドラム１上に形成された次の画像が転写ローラー７により用紙１８の画像が形成されていない面に転写され、定着部９に搬送されてトナー像が定着された後、排出トレイ１５に排出される。
【００２１】
給紙カセット３０は、画像形成装置１００本体に対して着脱可能に形成されている。この画像形成装置１００では給紙カセット３０の給紙方向（シート給送方向）下流側（矢印Ａ方向）には、画像形成装置１００本体の下方から用紙が給紙される際の用紙搬送路１１が設けられているので、給紙カセット３０は図１の左方向（矢印Ａ´方向）に引き出される。すなわち、図１の左方向は、給紙カセット３０の引き出し方向であり、右方向は給紙カセット３０の装着方向である。
【００２２】
給紙カセット３０の装着方向の奥側（図１の右側）には、用紙１８を送り出す給送部２０が設けられている。給送部２０は、給紙カセット３０に積載される用紙１８の最上面に圧接されて回転することで用紙１８を送り出すピックアップローラー２１と、ピックアップローラー２１から送り出された用紙１８を搬送するフィードローラー２２ａと、を含む。フィードローラー２２ａにはリタードローラー２２ｂが圧接されており、この２つのローラーによって搬送ローラー対２２が構成されている。ピックアップローラー２１によって複数枚の用紙１８が同時に給送された場合は、搬送ローラー対２２によって用紙１８が捌かれ、最上位の１枚のみが用紙搬送路１１に向けて送り出される。
【００２３】
図２は、本発明の一実施形態の画像形成装置１００の給紙カセット３０の給紙方向下流側の部分の構造を示した斜視図である。なお、図２は図１の紙面奥側から見た状態を示しており、給紙カセット３０の引き出し方向および装着方向は図１と左右が逆になっている。図２において、給紙カセット３０は、底面３１の四方の周縁部に壁部３２ａ〜３２ｄ（図１および図２参照）が立設されて上面が開口した平坦な箱状に構成され、その上面方向から用紙１８を積載して収容する。なお、底面３１および壁部３２ａ〜３２ｄによって、用紙を収容する用紙収容部（シート収容部）Ｓが形成されている。
【００２４】
給紙カセット３０の装着方向下流側に配置される壁部３２ａの外側には図３に示すように、給紙方向と直角をなす用紙幅方向の両側に、装着方向下流側に突出する位置決めボス３２ｅが設けられている。また、画像形成装置１００本体には図４に示すように、位置決めボス３２ｅが挿入される位置決め穴を有する位置決め部１０１が設けられている。これにより、給紙カセット３０が画像形成装置１００本体に装着される際に、位置決めボス３２ｅが位置決め部１０１の位置決め穴に挿入され、給紙カセット３０が用紙幅方向（矢印ＡＡ´方向と垂直方向）に位置決めされる。このとき、図５に示すように、後述するカセットレール部３３は本体レール部１００ａに対して上下方向に隙間（遊び）を有して配置される。
【００２５】
図２に示すように、給紙カセット３０の装着方向または引き出し方向（矢印ＡＡ′方向）に対し平行な壁部３２ｂ、３２ｃの外側には一対のカセットレール部３３が付設されている。画像形成装置１００本体側にはカセットレール部３３を摺動可能に案内する一対の本体レール部１００ａ（図５参照）が設けられており、カセットレール部３３を本体レール部１００ａに沿って摺動させることで、給紙カセット３０は画像形成装置１００本体に対し挿入及び引き出し可能となっている。
【００２６】
用紙収容部Ｓの底面３１上には、用紙積載板（シート積載板）３４が回動可能に設けられている。用紙束はこの用紙積載板３４上に積載される。なお、用紙積載板３４及び用紙積載板３４を昇降させるリフト機構４０については後述する。
【００２７】
給紙カセット３０の内部には、給紙方向（矢印Ａ方向）に沿って立設された一対の幅規制カーソル３５が備えられている。一対の幅規制カーソル３５は、給紙方向と直交する用紙幅方向に互いに接離可能で、用紙幅方向の両側から用紙束の側面に当接し、用紙束の幅方向の位置決めを行う。
【００２８】
給紙カセット３０の内部の給紙方向上流側には、後端規制カーソル（図示せず）が給紙方向に移動可能に備えられている。後端規制カーソル（図示せず）は、給紙方向上流側から用紙束の後端面に当接し、用紙束の給紙方向の位置決めを行う。
【００２９】
図６に示すように、用紙積載板３４は、給紙方向上流側の端部を回動支点３４ａとして側面３２ｂおよび３２ｃの給紙方向上流側に設けられた支持部（図示せず）に支持されており、給紙方向下流側の端部を自由端３４ｂとして上下に回動可能である。用紙積載板３４は板状の部材であり、幅規制カーソル３５、及び後端規制カーソル（図示せず）の移動領域に切り欠きが設けられている。
【００３０】
用紙積載板３４の自由端３４ｂ近傍には、回動軸部４１が配置されている。回動軸部４１は、給紙カセット３０の底面３１に形成された軸受部（図示せず）に回転可能に保持されている。回動軸部４１の一端に押し上げ板４２の固定孔４２ａが貫通して、回動軸部４１と押し上げ板４２が固定されている。押し上げ板４２は、用紙積載板３４の裏面の用紙幅方向略中央部に対向する位置に配置されており、用紙積載板３４を下側から持ち上げて回動させる。また、回動軸部４１の他端には扇形ギア（押し上げ用ギア）４３が連結されており、扇形ギア４３は押し上げ板４２と共に回動する。なお、回動軸部４１、押し上げ板４２および扇形ギア４３によって、リフト機構４０が構成されている。
【００３１】
扇形ギア４３は、アイドルギア５０を介して入力ギア５１に連結されている。図２および図５に示すように、入力ギア５１は給紙カセット３０から露出しており、給紙カセット３０を画像形成装置１００本体のカセット装着部に挿入したとき、入力ギア５１が画像形成装置１００本体側に設けられたリフトモーター（駆動部）に繋がる本体ギア２５（図５参照）に係合する。なお、本体ギア２５および給紙カセット３０によって、給紙装置（シート給送装置）が構成されている。
【００３２】
給紙カセット３０が画像形成装置１００本体に挿入された状態で本体ギア２５が回転すると、入力ギア５１、アイドルギア５０、及び扇形ギア４３を介して回動軸部４１に駆動力が伝達され、押し上げ板４２が図７に示すように回動することにより、押し上げ板４２の回動側端縁４２ｂが用紙積載板３４の裏面に沿って摺動し、用紙積載板３４の自由端３４ｂが持ち上げられて上昇する。
【００３３】
入力ギア５１は、本体ギア２５に対して接離する方向に変位可能に壁部３２ｂ（カセット側面部）の外面に設けられている。具体的には図８に示すように、入力ギア５１は、壁部３２ｂと壁部３２ｂの外面に固定されたカバー部材３６とによって支持されている。入力ギア５１は図９に示すように、外周部に歯部を有する第１ギア部５１ａと、第１ギア部５１ａに一体で形成された円筒状の軸部５１ｂと、を有する。壁部３２ｂおよびカバー部材３６の各々には、入力ギア５１の軸部５１ｂが軸支される長穴３７が形成されており、入力ギア５１は、本体ギア２５およびアイドルギア５０に対して接離する方向に変位可能である。長穴３７は、入力ギア５１と本体ギア２５とが接触したときに入力ギア５１が本体ギア２５に対して離間する方向に延びる。これにより、給紙カセット３０を画像形成装置１００本体に装着する際に、入力ギア５１の歯先が本体ギア２５の歯先に当接した場合、入力ギア５１が長穴３７に沿って図８の右上方向（本体ギア２５から離間する方向）に移動するので、入力ギア５１および本体ギア２５の歯が損傷するのを抑制することができる。また、入力ギア５１は、本体ギア２５からの動力を得て回転するとき、その回転する力により本体ギア２５に接近する方向に変位する。
【００３４】
アイドルギア５０は図５および図１０に示すように、壁部３２ｂの外面に設けられており、外周部に歯部を有するとともに中心部に挿入穴５０ｂが形成された第２ギア部５０ａを有する。図５および図１１に示すように、樹脂製の壁部３２ｂの外面には、用紙収容部Ｓの外側に向かって突出するとともに挿入穴５０ｂに挿入されるボス３２ｆが一体で形成されており、アイドルギア５０は、ボス３２ｆに回転可能に軸支されている。カバー部材３６には図８および図１２に示すように、ボス３２ｆに対応する位置に真円状の貫通穴３８が形成されており、ボス３２ｆは、カバー部材３６の貫通穴３８を介して外側（壁部３２ｂとは反対側）に突出している。
【００３５】
画像形成装置１００本体のカセット装着部のうちの壁部３２ｂに対向する本体側面部１００ｂには図１３に示すように、ボス３２ｆの先端部を支持する支持部１０２が設けられている。支持部１０２は、給紙カセット３０の引き出し方向（矢印Ａ´方向）が開口するＵ字状に形成されており、給紙カセット３０を画像形成装置１００本体に装着した状態で、ボス３２ｆの先端部を上方および下方から挟持する。
【００３６】
本実施形態では、上記のように、アイドルギア５０は、壁部３２ｂに形成されたボス３２ｆに回転可能に軸支されており、本体側面部１００ｂには、給紙カセット３０を画像形成装置１００本体に装着した状態で、ボス３２ｆの先端部を支持する支持部１０２が設けられている。これにより、本体ギア２５から入力ギア５１に駆動力が伝達される際に、アイドルギア５０にかかる力に起因してボス３２ｆが変位するのを、支持部１０２によって抑制することができる。このため、本体ギア２５と入力ギア５１との係合や入力ギア５１とアイドルギア５０との係合が外れる（歯飛びする）のを抑制することができる。
【００３７】
また、本体ギア２５から入力ギア５１に駆動力が伝達される際にアイドルギア５０にかかる力に起因してボス３２ｆが変位するのを抑制することができるので、ボス３２ｆが折れるのを抑制することができる。
【００３８】
また、支持部１０２は、ボス３２ｆを介して、給紙カセット３０を画像形成装置１００本体に対して所定位置に位置決めするので、給紙カセット３０の画像形成装置１００本体に対する位置決め精度を向上させることができる。
【００３９】
また、ボス３２ｆを支持する支持部１０２は画像形成装置１００本体に設けられているので、ボス３２ｆを画像形成装置１００本体に対して位置決めすることができる。これにより、入力ギア５１およびアイドルギア５０の画像形成装置１００本体に対する位置決め精度を向上させることができるので、本体ギア２５と入力ギア５１との係合や入力ギア５１とアイドルギア５０との係合が外れる（歯飛びする）のをより抑制することができる。
【００４０】
また、上記のように、ボス３２ｆは、カバー部材３６の貫通穴３８を貫通して外側（支持部１０２側）に突出している。これにより、貫通穴３８がボス３２ｆを支持するので、ボス３２ｆが変位するのをより抑制することができる。なお、ボス３２ｆの突出量が少なくボス３２ｆの先端部が貫通穴３８に支持される構成では、外力が加わった際にボス３２ｆの先端部が貫通穴３８から脱落し、ボス３２ｆの変形や破損が発生する。
【００４１】
また、上記のように、支持部１０２は、給紙カセット３０を画像形成装置１００本体に装着した状態で、ボス３２ｆの先端部を上方および下方から挟持するように形成されている。これにより、ボス３２ｆを画像形成装置１００本体に対して上下方向に位置決めすることができるので、給紙カセット３０の画像形成装置１００本体に対する位置決め精度をより向上させることができる
【００４２】
また、上記のように、リフト機構４０は、押し上げ板４２と、押し上げ板４２と共に回動する扇形ギア４３と、押し上げ板４２および扇形ギア４３が取り付けられる回動軸部４１と、を有する。これにより、入力ギア５１から扇形ギア４３に駆動力を伝達して扇形ギア４３を回動させることによって、容易に用紙積載板３４を昇降させることができる。
【００４３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４４】
例えば、モノクロプリンターに本発明を適用した例について示したが、本発明はこれに限らない。言うまでもなく、カラープリンター、モノクロ複写機、カラー複写機、デジタル複合機、ファクシミリ等の、シート収納カセットと、シート収納カセットのリフト機構に駆動力を伝達する本体ギアと、を備えた種々の画像形成装置に本発明を適用できる。
【００４５】
また、上記実施形態では、アイドルギア５０がボス３２ｆに軸支される例について示したが、入力ギア５１がボス３２ｆに軸支されてもよいし、入力ギア５１およびアイドルギア５０の両方が２つのボス３２ｆに軸支されてもよい。
【符号の説明】
【００４６】
１８  用紙（シート）
２５  本体ギア
３０  給紙カセット（シート収納カセット）
３２ｂ  壁部（カセット側面部）
３２ｆ  ボス
３４  用紙積載板（シート積載板）
３６  カバー部材
３８  貫通穴
４０  リフト機構
４１  回動軸部
４２  押し上げ板
４３  扇形ギア（押し上げ用ギア）
５０  アイドルギア
５０ａ  第２ギア部
５０ｂ  挿入穴
５１  入力ギア
５１ａ  第１ギア部
５１ｂ  軸部
１００  画像形成装置
１０２  支持部
１０２ｂ  本体側面部
Ｓ  用紙収容部（シート収容部）
【図１】
0006424857.tif 000002
【図２】
0006424857.tif 000003
【図３】
0006424857.tif 000004
【図４】
0006424857.tif 000005
【図５】
0006424857.tif 000006
【図６】
0006424857.tif 000007
【図７】
0006424857.tif 000008
【図８】
0006424857.tif 000009
【図９】
0006424857.tif 000010
【図１０】
0006424857.tif 000011
【図１１】
0006424857.tif 000012
【図１２】
0006424857.tif 000013
【図１３】
0006424857.tif 000014